Podtech/llm-jp-corpus-v4-ja_patent huggingface dataset:
【手続補正書】
【提出日】平成25年7月31日(2013.7.31)
【手続補正１】
【補正対象書類名】特許請求の範囲
【補正対象項目名】全文
【補正方法】変更
【補正の内容】
【特許請求の範囲】
【請求項１】
カメラ設定および／または画像処理設定などのカメラの画像調整パラメータを決定するときに使用されるべき画像ビューの一部を決定する方法であって、
カメラによってモニタされた画像ビューを表す映像シーケンスの形態の複数の画像を受け取るステップ（１００）と、
前記複数の画像から特定の事象タイプの事象を検出するステップ（１０２）であり、特定の事象タイプの事象が動きの存在および／または特定の外観を有する物体の存在である、ステップ（１０２）と
を含み、
特定の事象タイプの事象ごとに、特定のタイプの前記事象が存在する画像ビュー内の場所を識別するステップ（１０４）であり、固定カメラの場合、画像ビュー中の前記場所が事象を含む１つ又は複数の画像中の画素座標によって表され、パンおよび／またはチルト機能を有するカメラの場合、画像ビュー内の前記場所がカメラのパン／チルト設定とともに前記複数の画像のうちの１つにおける画素座標によって表される、ステップ（１０４）と、
前記識別された場所の各々の存在値を決定するステップ（１０６）であり、存在値が、前記識別された場所のうちの１つにおける特定の事象タイプの事象のいくつかの出現を反映するように形成される、ステップ（１０６）と、
閾値を超える存在値を有する画像ビュー中の識別された場所の１つまたは複数として画像ビューの一部を決定するステップと
を含むことを特徴とする方法。
【請求項２】
前記識別された場所の存在値を決定するステップ（１０６）が、
前記識別された場所の各々の既存の存在値を準備するステップと、
前記識別された場所の各々の既存の存在値と、前記識別された場所の特定の事象タイプの検出された事象のさらなる出現の数を反映する新しい存在値とを総計するステップと
を含む、請求項１に記載の方法。
【請求項３】
前記画像調整パラメータを使用することによって画像データの処理を調整するステップ（１１０ｂ）をさらに含む、請求項１ないし２のいずれか一項に記載の方法。
【請求項４】
前記画像データがカメラによって取り込まれ、方法が前記画像調整パラメータを使用することによって前記カメラのカメラ設定を調整するステップ（１１０ａ）をさらに含む、請求項１ないし２のいずれか一項に記載の方法。
【請求項５】
カメラによってモニタされた画像ビューを表す複数の画像を取り込み、カメラ設定および／または画像処理設定などの画像調整パラメータを決定するときに使用されるべき画像ビューの一部を決定するように構成されたカメラ（１）であって、
前記複数の画像から特定の事象タイプの事象を検出するように構成されている事象場所検出器（５）であり、特定の事象タイプの事象が動きの存在および／または特定の外観を有する物体の存在であり、事象場所検出器は、特定のタイプの前記事象の各々が存在する画像ビュー内の場所を検出するようにさらに構成されることを特徴とし、固定カメラの場合、画像ビュー中の前記場所が事象を含む１つ又は複数の画像中の画素座標によって表され、パンおよび／またはチルト機能を有するカメラの場合、画像ビュー内の前記場所がカメラのパン／チルト設定とともに前記複数の画像のうちの１つにおける画素座標によって表される、事象場所検出器（５）と、
画像ビュー内の前記場所の各々の存在値を決定するように構成されている存在値決定器（６）であり、存在値が、画像ビュー内の前記場所のうちの１つにおける特定の事象タイプの事象のいくつかの出現を反映するように形成される、存在値決定器（６）と、
閾値を超える存在値を有する画像ビュー内の検出された場所の１つまたは複数として画像ビューの一部を決定するように構成されている調整場所決定器（７）と、
調整場所からのデータを受け取るように構成されている画像調整パラメータ決定器（８）と
を含む、カメラ（１）。
【請求項６】
前記事象場所検出器（５）、前記存在値決定器（６）、前記調整場所決定器（７）、および／または前記画像調整パラメータ決定器（８）が、カメラのメモリ（９）に記憶され、カメラ（１）のプロセッサ（１５）によって実行されるソフトウェアコードによって、カメラ（１）内に存在するハードウェアユニットによって、またはそれらの組合せによって実施される、請求項５に記載のカメラ（１）。
【請求項７】
再合焦ユニット（１０）、露光時間設定ユニット（１１）、利得設定ユニット（１２）、絞り設定ユニット（１３）、および／または被写界深度設定ユニット（１４）をさらに含み、前記画像調整パラメータを使用して、前記カメラ（１）の前記再合焦ユニット（１０）、露光時間設定ユニット（１１）、利得設定ユニット（１２）、絞り設定ユニット（１３）、および／または被写界深度設定ユニット（１４）を調整する、請求項５または６に記載のカメラ（１）。
【請求項８】
前記事象場所検出器（５）が、動き検出器（１６）、物体追跡器（１７）、またはそれらの組合せとして実装される、請求項５ないし７のいずれか一項に記載のカメラ（１）。
【請求項９】
処理機能を有するデバイスで実行されるとき請求項１ないし４のいずれか一項に記載の方法を実施するためのプログラムを記録しているコンピュータ可読記録媒体。
【手続補正書】
【提出日】平成25年1月4日(2013.1.4)
【手続補正１】
【補正対象書類名】明細書
【補正対象項目名】００８４
【補正方法】変更
【補正の内容】
【００８４】
(ｎ)  半導体の多層配線工程において、絶縁膜２３上に溝２０を設け、銅、アルミニウム、タングステン、チタンなどの金属膜２１を埋め込み、絶縁膜２３上の不要な金属膜２１を除去するダマシンプロセス（Ｄａｍａｓｃｅｎｅ  ｐｒｏｃｅｓｓ）にも利用できる。図４にダマシンプロセスの模式図を示す。図４において、ａ→ｂ→ｃとプロセスが進み、ｃにて配線用金属のパターニングが形成される。
【手続補正２】
【補正対象書類名】図面
【補正対象項目名】図４
【補正方法】変更
【補正の内容】
【図４】
2013031842.tif 000001
【手続補正書】
【提出日】平成25年8月27日(2013.8.27)
【手続補正１】
【補正対象書類名】明細書
【補正対象項目名】００６４
【補正方法】変更
【補正の内容】
【００６４】
そこで、上記ドレス量差測定部３５は、ＡＥセンサ３７の検知結果から、この一連のドレッシング工程の各工程において、砥石ドレッサ２０のロータリ・ダイヤ２１と砥石車１０の内径研削部１０ｂおよび端面研削部１０ａ、１０ｃとのそれぞれの接触の有無を検出するとともに、ロータリ・ダイヤ２１とこれら研削部１０ａ、１０ｂ、１０ｃとのいずれかで検出した非接触状態の回数に基づいて（ＡＥセンサ３７が空振りした回数（量）ｎをカウントして）、内径研削部１０ｂと端面研削部１０ａ、１０ｃとのドレス量の差（ｄ×ｎ）を演算し検出する。
【手続補正２】
【補正対象書類名】明細書
【補正対象項目名】００６５
【補正方法】変更
【補正の内容】
【００６５】
続いて、砥石切込み量補正部３６は、このドレス量差測定部３５の演算結果（内径研削部１０ｂと端面研削部１０ａ、１０ｃとのドレス量の差（ｄ×ｎ））から砥石車１０の砥石軸１１の伸縮量Ｚを算出し、この伸縮量Ｚが砥石切込み制御部１８に制御信号として送られて、砥石切込み制御部１８は、この砥石軸１１の伸縮量Ｚに応じて砥石切込み駆動部１９（Ｘ軸方向切込み駆動部１５およびＹ軸方向切込み駆動部１７）を駆動制御し、これにより砥石車１０の切込み量を補正する。
【手続補正３】
【補正対象書類名】明細書
【補正対象項目名】００７１
【補正方法】変更
【補正の内容】
【００７１】
この場合、砥石ドレス装置３による砥石車１０の内径研削部１０ｂおよび端面研削部１０ａ、１０ｃのドレッシング加工は、砥石軸１１の伸縮の有無にかかわらず、砥石ドレッサ２０が砥石車１０に対して所定の基準砥石面輪郭に沿って相対的にトラバース移動しながらドレッシング加工が行われるとともに、このドレッシング加工時に検出した砥石車１０の内径研削部１０ｂおよび端面研削部１０ａ、１０ｃ間のドレス量の差Ｋに基づいて、砥石車１０のワークＷに対する切込み量を補正することで、ワークＷの内径面Ｗｂと端面Ｗａ、Ｗｃを所定の仕上寸法に研削するように構成されている。
【手続補正書】
【提出日】平成25年9月5日(2013.9.5)
【手続補正１】
【補正対象書類名】特許請求の範囲
【補正対象項目名】全文
【補正方法】変更
【補正の内容】
【特許請求の範囲】
【請求項１】
遊技に係わる演出を行う演出装置を制御する単位制御手段と、
前記単位制御手段を統括的に制御する統括制御手段と、を備えた遊技機において、
前記統括制御手段と前記単位制御手段との間でタイミング信号を伝達するタイミング信号線、及び前記統括制御手段と前記単位制御手段との間でデータを伝達するデータ線によって前記統括制御手段と前記単位制御手段との間でデータを伝達可能とし、
前記統括制御手段は、
データを送信する最後のタイミングにて、当該データの送信時とは異なる態様で前記データ線及びタイミング信号線の信号レベルを制御することにより、所定の更新指令信号を前記単位制御手段に出力する更新指令信号出力手段を備え、
前記単位制御手段は、
前記更新指令信号を受信したタイミングで、前記演出装置の出力態様を前記統括制御手段から受信したデータに対応する出力態様に更新する出力更新制御を実行し、
前記演出装置は、互いに異なる色彩を有する複数種類の発光素子を備え、
当該色彩の異なる複数種類の発光素子の各々が、前記発光素子の色彩に応じて異なる単位制御手段によって制御されており、
前記異なる単位制御手段は、各単位制御手段による出力更新制御が並行して実行可能であり、
前記統括制御手段は、異なる単位制御手段の各々に対して、異なるタイミングで演出制御情報を送信し、異なる単位制御手段の各々に対して、同時に前記更新指令信号を送信することを特徴とする遊技機。
【手続補正２】
【補正対象書類名】明細書
【補正対象項目名】０００８
【補正方法】変更
【補正の内容】
【０００８】
従来の遊技機では、配線を十分に削減することができなかった。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
本発明は、統括制御手段と単位制御手段とを接続する接続線の数を削減することのできる遊技機を提供することを目的とする。
【手続補正６】
【補正対象書類名】明細書
【補正対象項目名】００１２
【補正方法】変更
【補正の内容】
【００１２】
本発明は、遊技に係わる演出を行う演出装置を制御する単位制御手段と、前記単位制御手段を統括的に制御する統括制御手段と、を備えた遊技機において、前記統括制御手段と前記単位制御手段との間でタイミング信号を伝達するタイミング信号線、及び前記統括制御手段と前記単位制御手段との間でデータを伝達するデータ線によって前記統括制御手段と前記単位制御手段との間でデータを伝達可能とし、前記統括制御手段は、データを送信する最後のタイミングにて、当該データの送信時とは異なる態様で前記データ線及びタイミング信号線の信号レベルを制御することにより、所定の更新指令信号を前記単位制御手段に出力する更新指令信号出力手段を備え、前記単位制御手段は、前記更新指令信号を受信したタイミングで、前記演出装置の出力態様を前記統括制御手段から受信したデータに対応する出力態様に更新する出力更新制御を実行し、前記演出装置は、互いに異なる色彩を有する複数種類の発光素子を備え、当該色彩の異なる複数種類の発光素子の各々が、前記発光素子の色彩に応じて異なる単位制御手段によって制御されており、前記異なる単位制御手段は、各単位制御手段による出力更新制御が並行して実行可能であり、前記統括制御手段は、異なる単位制御手段の各々に対して、異なるタイミングで演出制御情報を送信し、異なる単位制御手段の各々に対して、同時に前記更新指令信号を送信する。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
本発明によると、統括制御手段と単位制御手段とを接続する接続線の数を削減することができる。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正書】
【提出日】平成25年2月12日(2013.2.12)
【手続補正１】
【補正対象書類名】特許請求の範囲
【補正対象項目名】全文
【補正方法】変更
【補正の内容】
【特許請求の範囲】
【請求項１】
各々に複数種類の図柄が付された複数の可動表示体と、該可動表示体に付された図柄を所定個数分の図柄群として表示可能とする図柄表示部とを備え、遊技価値の投入と遊技者の始動操作とにより複数の前記可動表示体の変動を開始させ、変動する前記可動表示体の停止操作が受け付けられると、前記図柄表示部内に１回のゲームの結果が表示される遊技機であって、
ゲームの進行に伴う複数の演出態様を遊技機の外部に向けて実行する演出実行手段と、
前記複数の演出態様からゲームの進行に応じた演出態様を選択する演出態様選択手段と、
１回のゲームごとに予め決められた複数の当選役及びハズレ役の中からいずれかを選び出す抽選を行う内部抽選手段と、
前記内部抽選手段による内部抽選の結果に基づいて、変動する複数の前記可動表示体の変動停止を制御する可動表示体停止制御手段と、
前記図柄表示部内に表示された所定個数分の図柄群を複数の前記可動表示体にまたがって見た場合に、各々の前記可動表示体について少なくとも１つの図柄を選び出してできる組み合わせのうち、前記複数の当選役のいずれかに対応する図柄の組み合わせ態様が表示されたときにその組み合わせ態様を有効とする有効表示位置を決定する判定表示位置決定手段と、
全ての前記可動表示体が停止した場合、前記判定表示位置決定手段により決定された前記有効表示位置に全て同種類の図柄からなる組み合わせ態様が表示されたか否かを判定する図柄表示態様判定手段と、
前記有効表示位置に表示された図柄の組み合わせ態様に基づいて遊技状態を制御可能な遊技状態制御手段と、
前記図柄表示態様判定手段により全て同種類の図柄からなる組み合わせ態様が表示されたことが判定されると、所定数の遊技価値を付与する遊技価値付与手段と、
前記遊技価値付与手段により付与される遊技価値数に応じた遊技価値付与演出を実行可能な遊技価値付与演出実行手段と、
を備え、
前記図柄表示態様判定手段は、
前記有効表示位置に全て同種類の図柄からなる組み合わせ態様が表示されなかった場合、少なくとも複数種類の図柄からなる特定の組み合わせ態様が表示されたか否かを判定する特定図柄表示態様判定手段を有し、
前記遊技価値付与手段は、
前記有効表示位置に全て同種類の図柄からなる組み合わせ態様が表示されなかったとしても、前記特定図柄表示態様判定手段により前記特定の組み合わせ態様が表示されたことが判定されると、最小単位数の遊技価値を付与する最小単位遊技価値付与手段を有し、
前記演出実行手段は、
前記遊技価値付与手段により所定数の遊技価値が付与される場合には当該遊技価値の付与が実行されていることを知らせる特別演出を実行し、前記最小単位遊技価値付与手段が最小単位数の遊技価値が付与される場合には当該遊技価値の付与が実行されていることを知らせない通常演出を実行し、
前記遊技価値付与演出実行手段は、
全て同種類の図柄からなる組み合わせ態様が表示されて所定数の遊技価値が付与されるときには付与される遊技価値数に応じた遊技価値付与演出を実行するものの、前記特定の組み合わせ態様が表示されたときには、遊技価値が付与されるにもかかわらず前記遊技価値付与演出を不実行とし、
前記遊技状態制御手段は、
前記有効表示位置に前記特定の組み合わせ態様が表示されたことを条件に、遊技者に有利な有利遊技状態に制御しうる
ことを特徴とする遊技機。
【請求項２】
前記内部抽選手段は、
１回のゲームごとに乱数を取得し、該取得された乱数に基づいて前記抽選を行うものである
請求項１に記載の遊技機。
【請求項３】
所定の演出画像が表示される表示手段をさらに備える
請求項１または請求項２に記載の遊技機。
【手続補正書】
【提出日】平成25年2月12日(2013.2.12)
【手続補正１】
【補正対象書類名】特許請求の範囲
【補正対象項目名】全文
【補正方法】変更
【補正の内容】
【特許請求の範囲】
【請求項１】
各々に複数種類の図柄が付された複数の可動表示体と、該可動表示体に付された図柄を所定個数分の図柄群として表示可能とする図柄表示部とを備え、遊技価値としてのメダルの投入と遊技者の始動操作とにより複数の前記可動表示体の変動を開始させ、変動する前記可動表示体の停止操作が受け付けられると、前記図柄表示部に１回のゲームの結果が表示される遊技機であって、
ゲームの進行に伴う複数の演出態様を遊技機の外部に向けて実行する演出実行手段と、
前記複数の演出態様からゲームの進行に応じた演出態様を選択する演出態様選択手段と、
１回のゲームごとに予め決められた複数の当選役及びハズレ役の中からいずれかを選び出す抽選を行う内部抽選手段と、
前記内部抽選手段による内部抽選の結果に基づいて、回転する複数の前記可動表示体の回転停止を制御する可動表示体停止制御手段と、
前記図柄表示部内に表示された所定個数分の図柄群を複数の前記可動表示体にまたがって見た場合に、各々の前記可動表示体について少なくとも１つの図柄を選び出してできる組み合わせ態様のうち、前記複数の当選役のいずれかに対応する図柄の組み合わせ態様が表示されたときにその組み合わせ態様を有効とする有効表示位置を決定する判定表示位置決定手段と、
全ての前記可動表示体が停止した場合、前記判定表示位置決定手段により決定された前記有効表示位置に前記当選役に対応する図柄の組み合わせ態様が表示されたか否かを判定する図柄表示態様判定手段と、
前記有効表示位置に表示された図柄の組み合わせ態様に基づいて遊技状態を制御可能な遊技状態制御手段と、
を備え、
前記当選役には、ボーナス図柄からなる組み合わせ態様に対応するボーナス図柄揃役と、全て同種類の図柄からなる組み合わせ態様に対応する同種図柄揃役と、前記ハズレ役とは別に、少なくとも複数種類の図柄からなる特定の組み合わせ態様に対応する異種図柄揃役とが少なくとも含まれるとともに、前記ボーナス図柄揃役と前記異種図柄揃役との両方が当選となる共益当選役も含まれており、
前記図柄表示態様判定手段により前記同種図柄揃役に対応する組み合わせ態様が表示されたことが判定されると、所定数のメダルを付与する所定メダル付与手段と、
前記図柄表示態様判定手段により前記異種図柄揃役に対応する組み合わせ態様が表示されたことが判定されると、１枚のメダルを付与する最小単位メダル付与手段と、
付与されるメダルの付与数に応じたメダル付与演出を実行可能なメダル付与演出実行手段と、
をさらに備え、
前記演出実行手段は、
前記同種図柄揃役に対応する図柄の組み合わせ態様が表示された場合には当該当選役を知らせる特別演出を実行し、前記異種図柄揃役に対応する図柄の組み合わせ態様が表示された場合には前記ハズレ役となった場合に実行するハズレ演出を実行し、
前記メダル付与演出実行手段は、
全て同種類の図柄からなる組み合わせ態様が表示されて所定数のメダルが付与されるときには付与されるメダル数に応じたメダル付与演出を実行するものの、前記内部抽選による抽選にて前記異種図柄揃役と前記共益当選役とのいずれに当選した場合であっても、前記特定の組み合わせ態様が表示されたときには、メダルが付与されるにもかかわらず前記メダル付与演出を不実行とし、
前記遊技状態制御手段は、
前記有効表示位置に前記特定の組み合わせ態様が表示されたことを条件に、遊技者に有利な有利遊技状態に制御しうる
ことを特徴とする遊技機。
【請求項２】
前記内部抽選手段は、
１回のゲームごとに乱数を取得し、該取得された乱数に基づいて前記抽選を行うものである
請求項１に記載の遊技機。
【請求項３】
所定の演出画像が表示される表示手段をさらに備える
請求項１または請求項２に記載の遊技機。
【手続補正書】
【提出日】平成25年1月8日(2013.1.8)
【手続補正１】
【補正対象書類名】特許請求の範囲
【補正対象項目名】全文
【補正方法】変更
【補正の内容】
【特許請求の範囲】
【請求項１】
Ｘ線発生手段から発生したＸ線を空間的に分割する分割素子と、
前記分割素子により分割され、被検知物を透過したＸ線が入射する第１の減衰素子と、
前記分割素子により分割され、前記被検知物が透過したＸ線が入射し、前記第１の減衰素子と隣接して配置されている第２の減衰素子と、
前記第１の減衰素子と前記第２の減衰素子を透過したＸ線の強度を検出する検出手段と、
を有し、
前記第１の減衰素子と前記第２の減衰素子は、前記Ｘ線の入射位置に応じてＸ線の透過量が連続的に変化するように構成され、
前記第１の減衰素子と前記第２の減衰素子は、前記被検知物での屈折による前記Ｘ線の移動方向に関して、透過量の増減量または増減傾向が異なることを特徴とするＸ線撮像装置。
【請求項２】
前記検出手段により得られたＸ線の強度から前記被検知物による前記第１の減衰素子又は前記第２の減衰素子上でのＸ線の位置変化量を得る演算手段を有することを特徴とする請求項１に記載のＸ線撮像装置。
【請求項３】
前記演算手段は、前記検出手段により得られたＸ線の強度と前記位置変化量の対応関係を示すデータテーブルを参照して前記位置変化量を得ることを特徴とする請求項２に記載のＸ線撮像装置。
【請求項４】
前記検出手段により得られたＸ線の強度から前記被検知物の微分位相像又は位相像を演算する演算手段を有することを特徴とする請求項１乃至３のいずれか１項に記載のＸ線撮像装置。
【請求項５】
前記第１の減衰素子又は前記第２の減衰素子は、入射するＸ線に対して垂直方向に厚みが連続的に変化していることを特徴とする請求項１乃至４のいずれか１項に記載のＸ線撮像装置。
【請求項６】
前記第１の減衰素子又は前記第２の減衰素子は、三角柱の構造体であることを特徴とする請求項５に記載のＸ線撮像装置。
【請求項７】
前記第１の減衰素子又は前記第２の減衰素子は、入射するＸ線に対して垂直方向に密度が連続的に変化していることを特徴とする請求項１乃至４のいずれか１項に記載のＸ線撮像装置。
【手続補正２】
【補正対象書類名】明細書
【補正対象項目名】発明の名称
【補正方法】変更
【補正の内容】
【発明の名称】Ｘ線撮像装置
【手続補正３】
【補正対象書類名】明細書
【補正対象項目名】０００１
【補正方法】変更
【補正の内容】
【０００１】
本発明はＸ線を用いた撮像装置に関する。
【手続補正４】
【補正対象書類名】明細書
【補正対象項目名】００１１
【補正方法】変更
【補正の内容】
【００１１】
そこで、本発明は、特許文献１の方法よりも装置を小型化し、特許文献２の方法よりも高精度の分析を可能とすると共に、被検知物によるＸ線の吸収効果を考慮した微分位相像または位相像を得るＸ線撮像装置を提供することを目的とする。
【手続補正５】
【補正対象書類名】明細書
【補正対象項目名】００１２
【補正方法】変更
【補正の内容】
【００１２】
本発明に係るＸ線撮像装置は、Ｘ線発生手段から発生したＸ線を空間的に分割する分割素子と、前記分割素子により分割され、被検知物を透過したＸ線が入射する第１の減衰素子と、前記分割素子により分割され、被検知物を透過したＸ線が入射し、前記第１の減衰素子と隣接して配置されている第２の減衰素子と、前記第１の減衰素子と前記第２の減衰素子を透過したＸ線の強度を検出する検出手段と、を有し、前記第１の減衰素子と前記第２の減衰素子は、前記Ｘ線の入射位置に応じてＸ線の透過量が連続的に変化するように構成され、前記第１の減衰素子と前記第２の減衰素子は、前記Ｘ線の移動方向に対する透過量の増減量または増減傾向が異なることを特徴とする。
【手続補正６】
【補正対象書類名】明細書
【補正対象項目名】００１３
【補正方法】変更
【補正の内容】
【００１３】
本発明によれば、特許文献１よりも装置を小型化し、特許文献２よりも高精度の分析を
可能とすると共に、被検知物によるＸ線の吸収効果を考慮した微分位相像または位相像を
得ることが可能なＸ線撮像装置を提供することができる。
【手続補正書】
【提出日】平成25年6月20日(2013.6.20)
【手続補正１】
【補正対象書類名】特許請求の範囲
【補正対象項目名】全文
【補正方法】変更
【補正の内容】
【特許請求の範囲】
【請求項１】
１ゲームに対して所定数の賭数を設定することによりゲームが開始可能となるとともに、各々が識別可能な複数種類の識別情報を変動表示可能な可変表示装置に表示結果が導出されることにより１ゲームが終了し、該可変表示装置に導出された表示結果に応じて入賞が発生可能とされ、ゲームの試験を行う際に接続される試験装置からの試験用信号の入力に基づき自動的にゲームを行うことが可能な遊技機であって、
遊技の制御を行う遊技制御手段と、
演出の制御を行う演出制御手段と、
遊技媒体投入口への遊技媒体の投入を示し、ＯＦＦからＯＮに変化した後にＯＦＦに変化する試験用投入信号の入力を検出する投入信号検出手段と、
前記投入信号検出手段が前記試験用投入信号の入力を検出したときに前記賭数を設定する賭数設定手段と、
前記試験装置に対して遊技機が行う複数種類の制御状態を示す試験信号を出力するための制御を行う試験信号出力制御手段と、
を備え、
該試験信号出力制御手段は、ゲームが終了して遊技媒体投入口への遊技媒体の投入が可能な状態となったときに、前記試験装置に対して前記試験用投入信号の出力を要求する投入要求信号を前記試験信号として出力するための制御を行う投入要求信号出力制御手段を含み、
前記投入要求信号出力制御手段は、前記投入要求信号がＯＮの状態で、かつ試験用投入信号があと１回入力されると遊技媒体投入口への遊技媒体の投入が不可能となる状態において前記試験用投入信号のＯＮが検出された後、該試験用投入信号がＯＦＦとなる前に、前記投入要求信号をＯＦＦに変化させる制御を行う
ことを特徴とする遊技機。
【手続補正書】
【提出日】平成25年10月2日(2013.10.2)
【手続補正１】
【補正対象書類名】特許請求の範囲
【補正対象項目名】全文
【補正方法】変更
【補正の内容】
【特許請求の範囲】
【請求項１】
基板面上にスクリーン印刷により所定のパターンを形成するパネルの印刷装置において、
印刷面を下向きにして搬入される基板を搬入しステージコンベアを有するストッカと、前記ストッカの端部に設けられ前記基板の印刷面を上向きに反転可能な基板反転機構と、反転された前記基板に印刷する印刷部と、前記基板反転機構と前記印刷部との間に介在し、前記基板を前記印刷部に位置決めする回転テーブルとを備え、前記回転テーブルは上下動可能に設けられていることを特徴とするパネルの印刷装置。
【請求項２】
反転された前記基板を前記回転テーブルに搬送するとともに前記基板の位置及び歪の少なくともいずれかを検査する第１の検査部を有する第１のステージコンベアと、前記印刷部で前記基板面上に印刷したパターンを検査する第２の検査部と、前記印刷部で印刷された前記基板を次工程に搬送する第２のステージコンベアとを備えたことを特徴とする請求項１に記載のパネルの印刷装置。
【請求項３】
前記回転テーブルは、垂直方向に配置される回転軸と、この回転軸に腕部材を介して接続された４個のテーブルと、このテーブルに載置されるステージとを有し、前記４個のテーブルは上下動可能であって円周方向に等ピッチで配置されていることを特徴とする請求項１または２に記載のパネルの印刷装置。
【請求項４】
前記基板反転機構は、垂直に配置され外周部に複数のスリットが形成された２枚の円盤と、この２枚の円盤の中心部を貫通し水平に配置される回転軸と、この回転軸を駆動する駆動源とを有し、前記スリットに前記基板を挟持して前記円盤を回動させて前記基板を反転させるものであることを特徴とする請求項１ないし３の何れか１項に記載のパネルの印刷装置。
【請求項５】
前記第１の検査部は前記基板に付された位置合わせマークを検出し記憶する手段を有し、前記印刷部は前記基板に印刷するパターンが形成され位置合わせマークが付されたマスクと、このマスクを水平移動させる移動手段とを有し、この移動手段は前記記憶手段が記憶した前記基板上の位置合わせマークと前記マスクの位置合わせマークとが合致するように前記マスクを水平移動させ、前記印刷装置は、前記回転テーブルの前記テーブルを上昇させて前記マスクに前記基板を接触させて印刷することを特徴とする請求項２ないし４の何れか１項に記載のパネルの印刷装置。
【請求項６】
前記回転テーブルの前記回転軸を挟んだ前記印刷部の反対側に清掃ステーションを設け、この清掃ステーションは前記基板の割れおよび欠け等で生じた破損片を高圧エアーと真空吸引と清掃用ハケ(ブラシ)の少なくともいずれかにより清掃する清掃手段を有することを特徴とする請求項３ないし５の何れか１項に記載のパネルの印刷装置。
【手続補正書】
【提出日】平成25年10月21日(2013.10.21)
【手続補正１】
【補正対象書類名】特許請求の範囲
【補正対象項目名】全文
【補正方法】変更
【補正の内容】
【特許請求の範囲】
【請求項１】
シート状物の端部を把持する複数の掴み装置を前記シート状物の両側端に具備した無端チェーン付案内ホルダの対を設け、該無端チェーン付案内ホルダは、出口側のスプロケットにより駆動され、入口側スプロケットから送り出されシート状物を前記掴み装置で把持して進行方向に対して末広がり状に配置された案内用ガイドレールに案内されてシート状物を延伸させた後にシート状物を外し、前記出口側スプロケットを介して前記入口側スプロケットに戻るように構成されたシート状物の延伸機において、
前記各ガイドレールを固定する固定ベッドと可動ベッドを設け、
前記固定ベッドと可動ベッドは回動可能にピン結合され、
前記可動ベッドの回動に伴って前記ガイドレールが伸縮かつ屈曲可能なように、前記ガイドレールの前記ピン結合位置に複数本の垂直なスリットを有する屈曲部を設けると共に、前記屈曲部の両側を隙間を介して前記ガイドレールに接続したことを特徴とするシート状物の延伸機。
【請求項２】
請求項１に記載のシート状物の延伸機において、
前記屈曲部として、複数本の垂直なスリットを有するレールジョイントを前記ガイドレールに介在させたことを特徴とするシート状物の延伸機。
【請求項３】
請求項１または２に記載のシート状物の延伸機において、
前記各ガイドレールは、前記各スリットを避けた位置で前記固定ベッドと可動ベッドに固定されたことを特徴とするシート状物の延伸機。
【請求項４】
請求項１〜３のいずれかに記載のシート状物の延伸機において、
前記スリットの両側の隙間はガイドレールの長手方向に垂直に形成されていることを特徴とするシート状物の延伸機。
【手続補正書】
【提出日】平成25年3月6日(2013.3.6)
【手続補正１】
【補正対象書類名】特許請求の範囲
【補正対象項目名】全文
【補正方法】変更
【補正の内容】
【特許請求の範囲】
【請求項１】
クリップの本体部と、該本体部の裏側に位置するように前記本体部に設けた支持片と、該支持片に回動自在に取り付けられ後記挟持部材を前記本体部側に押さえ付けて固定するための留具と、前記支持片の取付側から且つ前記支持片の上方に位置するように前記本体部に取り付けられると共に、前記支持片と交差して前記留具の下側に位置するように形成された前記挟持部材と、から成るクリップ。
【請求項２】
さらに前記本体部と前記挟持部材との間に、前記本体部か前記挟持部材かの何れか一側に設けられて他側に弾接する、バネ片を有する請求項１に記載のクリップ。
【請求項３】
前記挟持部材に切込部を設けて該切込部の内側を、前記支持片の取付側に向かう前記バネ片とすると共に、前記切込部の内側で前記支持片と交差するように設けて成る、請求項２に記載のクリップ。
【請求項４】
前記挟持部材に切込部を設けて該切込部の内側で前記支持片と交差するようにすると共に、前記挟持部材を前記支持片の取付側とは反対の側で反して前記支持片の取付側に向かう前記バネ片として成る、請求項２に記載のクリップ。
【請求項５】
前記切込部は前記挟持部材上で略コ字状を呈し、前記留具の前記挟持部材を押さえ付ける部位が、前記挟持部材の前記切込部の両側の部位に接するように、二股状に形成されている、請求項３に記載のクリップ。
【請求項６】
前記切込部は前記挟持部材上に開孔した略方形の開孔部であり、前記留具の前記挟持部材を押さえ付ける部位が、前記挟持部材の前記開孔部の両側の部位に接するように、二股状に形成されている、請求項４に記載のクリップ。
【請求項７】
前記挟持部材が前記本体部に対して着脱自在に組み付けられている、請求項１〜請求項６の何れか一に記載のクリップ。
【手続補正２】
【補正対象書類名】明細書
【補正対象項目名】０００７
【補正方法】変更
【補正の内容】
【０００７】  上記の課題は、クリップの本体部と、該本体部の裏側に位置するように前記本体部に設けた支持片と、該支持片に回動自在に取り付けられ後記挟持部材を前記本体部側に押さえ付けて固定するための留具と、前記支持片の取付側から且つ前記支持片の上方に位置するように前記本体部に取り付けられると共に、前記支持片と交差して前記留具の下側に位置するように形成された前記挟持部材と、から成るクリップとすることで解決される。
【手続補正３】
【補正対象書類名】明細書
【補正対象項目名】００１０
【補正方法】変更
【補正の内容】
【００１０】  ところで前記挟持部材に切込部を設けて該切込部の内側を、前記支持片の取付側に向かう前記バネ片とすると共に、前記切込部の内側で前記支持片と交差するように設けて成るものとすることが出来る。ここで挟持部材は前記バネ片の役割を担う。この交差する構成に関連して、前記切込部は前記挟持部材上で略コ字状を呈し、前記留具の前記挟持部材を押さえ付ける部位が、前記挟持部材の前記切込部の両側の部位に接するように、二股状に形成されているものとしても良い。切込部の内側にバネ片が形成されると共に、この切込部の中に支持片を挿入して交差させることが出来るので、必要であれば挟持部材の幅をより広く取ることが可能である。そして先部分が二股状である所の留具にて、挟持部材の切込部の両側の部位を且つ支持片の両側から安定的に押さえ付けることが出来る。
【手続補正４】
【補正対象書類名】明細書
【補正対象項目名】００１１
【補正方法】変更
【補正の内容】
【００１１】  あるいは前記挟持部材に切込部を設けて該切込部の内側で前記支持片と交差するようにすると共に、前記挟持部材を前記支持片の取付側とは反対の側で反して前記支持片の取付側に向かう前記バネ片として成るものとすることが出来る。同様に挟持部材は前記バネ片の役割を担う。特に前記挟持部材を反して前記支持片の取付側に向かう前記バネ片の幅は比較的広く取れるため、強い挟み付けがより安定的なものとなる。また上述した交差する構成に関連して、前記切込部は前記挟持部材上に開孔した略方形の開孔部であり、前記留具の前記挟持部材を押さえ付ける部位が、前記挟持部材の前記開孔部の両側の部位に接するように、二股状に形成されているものとしても良い。前記開孔部の中に支持片を挿入し交差させて開孔部の両側を使用することが出来るようにしたのである。従って必要であれば挟持部材の幅をより広く取ることが可能である。そして先部分が二股状である所の留具にて、挟持部材の切込部の両側の部位を且つ支持片の両側から安定的に押さえ付けることが出来るのである。
【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
携帯型フィットネスモニタリングサービスのユーザに心拍数情報を提供する方法において、
(ａ)最高心拍数のパーセンテージの範囲として複数の心拍数ゾーンを定義するステップ、
(ｂ)前記心拍数ゾーンのそれぞれに色を割り当てて、カラーコード化ゾーンとするステップ、
(ｃ)前記ユーザから心拍数情報を受け取るステップ、及び
(ｄ)前記心拍数情報のグラフィック表示を提供するステップであって、前記心拍数情報に含まれる心拍数を、複数の前記カラーコード化ゾーンのうちで前記心拍数に対応する１つの前記カラーコード化ゾーンに表示するステップ、
を含み、
前記ステップ(ａ)〜(ｄ)が少なくとも１つのプロセッサを用いて実行されることを特徴とする方法。
【請求項２】
前記心拍数情報がトレーニング中に携帯型心拍数センサによって測定されることを特徴とする請求項１に記載の方法。
【請求項３】
前記心拍数情報が瞬時心拍数情報を含むことを特徴とする請求項１又は２に記載の方法。
【請求項４】
前記ユーザの前記最高心拍数に基づいて前記心拍数ゾーンに対する上限及び下限を決定するステップをさらに含むことを特徴とする請求項１〜３いずれか１項に記載の方法。
【請求項５】
前記ユーザの瞬時心拍数が前記心拍数ゾーンのどれに入るかを前記上限及び前記下限に基づいて決定するステップをさらに含むことを特徴とする請求項４に記載の方法。
【請求項６】
前記心拍数ゾーンに対する前記上限及び前記下限がユーザ情報に基づいて調節されることを特徴とする請求項４又は５に記載の方法。
【請求項７】
前記ユーザ情報が、前記ユーザが前記トレーニングを行っている間に測定された、前記ユーザのパフォーマンスパラメータを含むことを特徴とする請求項６に記載の方法。
【請求項８】
前記ユーザ情報が、前記ユーザが前記トレーニングを完了した後に前記携帯型フィットネスモニタリングサービスによって課せられた質問への、前記ユーザからの応答を含むことを特徴とする請求項６又は７に記載の方法。
【手続補正書】
【提出日】平成25年6月19日(2013.6.19)
【手続補正１】
【補正対象書類名】特許請求の範囲
【補正対象項目名】請求項２
【補正方法】変更
【補正の内容】
【請求項２】
膨張した防災フードの浮力により車椅子が水没した場合、防災フード機構を格納する半楕円形の袋体が車椅子用背面ボードから容易に離脱するように構成されてなる請求項１に記載の瞬発膨張防災フードを備えた車椅子用背面ボード。
【手続補正書】
【提出日】平成25年6月12日(2013.6.12)
【手続補正１】
【補正対象書類名】特許請求の範囲
【補正対象項目名】請求項５
【補正方法】変更
【補正の内容】
【請求項５】
前記無機材は、ＳｉＯｘ（０＜ｘ＜２）、ＳｉＮｘ（０＜ｘ＜３／４）またはＩｎＧａＮ混晶である請求項１〜４のいずれか１項に記載の波長変換素子。
【手続補正書】
【提出日】平成25年9月20日(2013.9.20)
【手続補正１】
【補正対象書類名】明細書
【補正対象項目名】００６８
【補正方法】変更
【補正の内容】
【００６８】
比較例７
工程（ｂ′）において、アライメントマークとして用いた貫通孔Ａ上及びその周囲（貫通孔の外縁から３００μｍ範囲内）の光架橋性樹脂層も硬化させた後、工程（ｄ）において、貫通孔Ａをアライメントマークとした以外は、実施例５と同様にして導電パターンを作製した。工程（ｅ）で得られたエッチングレジスト層の直径５０μｍの円状パターン部Ｃ計４個について、第一導電パターン部と第二導電パターン部の中心間距離の平均は２０μｍであった。工程（ｆ）で得られた導電パターンには、第一導電パターン部と第二導電パターン部の位置ずれに由来するショート欠陥が多発していた。
【手続補正書】
【提出日】平成25年9月25日(2013.9.25)
【手続補正１】
【補正対象書類名】特許請求の範囲
【補正対象項目名】全文
【補正方法】変更
【補正の内容】
【特許請求の範囲】
【請求項１】
前面側ガラス基板と、背面側ガラス基板とを有し、前記前面側ガラス基板と前記背面側ガラス基板との間をシールにより気密封止し、内部に放電ガスを導入したプラズマディスプレイパネルであって、
前記シールの外周に吸着材料を配置し、
かつ前記吸着材料は、酸化カルシウム、または酸化ストロンチウム、または酸化バリウム、またはリチウム、ナトリウム、カリウム、マグネシウム、カルシウム、バリウムのうちの元素でイオン交換したゼオライト、またはイモゴライト構造を持つ非晶質アルミニウムケイ酸のうちのいずれかであることを特徴とするプラズマディスプレイパネル。
【手続補正２】
【補正対象書類名】明細書
【補正対象項目名】発明の名称
【補正方法】変更
【補正の内容】
【発明の名称】プラズマディスプレイパネル
【手続補正３】
【補正対象書類名】明細書
【補正対象項目名】０００１
【補正方法】変更
【補正の内容】
【０００１】
本発明は表示用デバイスなどに用いられるプラズマディスプレイパネルに関する。
【手続補正４】
【補正対象書類名】明細書
【補正対象項目名】００１２
【補正方法】変更
【補正の内容】
【００１２】
本発明のプラズマディスプレイパネルは、前面側ガラス基板と、背面側ガラス基板とを有し、前記前面側ガラス基板と前記背面側ガラス基板との間をシールにより気密封止し、内部に放電ガスを導入したプラズマディスプレイパネルであって、前記シールの外周に吸着材料を配置し、かつ前記吸着材料は、酸化カルシウム、または酸化ストロンチウム、または酸化バリウム、またはリチウム、ナトリウム、カリウム、マグネシウム、カルシウム、バリウムのうちの元素でイオン交換したゼオライト、またはイモゴライト構造を持つ非晶質アルミニウムケイ酸のうちのいずれかであることを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】変更
【補正の内容】
【００２４】
本発明に関わるプラズマディスプレイパネルにより、パネルの製造工程中での保護膜と不純ガスとの反応を抑制すると共に、画像表示面内の放電特性を均一にして、品質の優れた画像を表示できるパネルを製造することが可能となる。
【手続補正１７】
【補正対象書類名】明細書
【補正対象項目名】００２５
【補正方法】変更
【補正の内容】
【００２５】
また、パネルの製造工程中大気中に配置された封着排気装置を用いることができ、製造単価を低減することが可能となる。
【手続補正１８】
【補正対象書類名】明細書
【補正対象項目名】００５０
【補正方法】変更
【補正の内容】
【００５０】
また、吸着材料１としては、二酸化炭素の吸着・分解作用、水の吸着作用があるカルシウムイオン交換型のフォージャサイト構造を持つゼオライトを用いても良い。また、カルシウムイオン交換型だけでなく、カリウムイオン交換型、マグネシウムイオン交換型のゼオライトでも良い。また、リチウムイオン交換型モルデナイトまたはクリノプチロライトなどのゼオライトを用いることもできる。また、リチウム、ナトリウム、バリウムでイオン交換したゼオライトであっても良い。すなわち、リチウム、ナトリウム、カリウム、マグネシウム、カルシウム、バリウムのうちの元素でイオン交換したゼオライトを用いることができる。
【手続補正１９】
【補正対象書類名】明細書
【補正対象項目名】００５１
【補正方法】変更
【補正の内容】
【００５１】
同様に、二酸化炭素や水の吸着作用があることで知られているイモゴライト構造を持つ非晶質アルミニウムケイ酸を用いることもできる。イモゴライト構造を持つ非晶質アルミニウムケイ酸は、オルトケイ酸ナトリウムと塩化アルミニウム六水和物より形成した前駆体を加熱し作製した１次元結晶でチューブ内に形成された細孔、またはチューブ同士によって細孔が形成されている。
【手続補正２０】
【補正対象書類名】明細書
【補正対象項目名】００７１
【補正方法】変更
【補正の内容】
【００７１】
本実施の形態では、まず銀を主成分とするアドレス電極８及び低融点ガラスからなる誘電体層９、及びリブ１０、リブ間に蛍光体１１を形成した背面板の周囲にシールペーストをディスペンサーで塗布・乾燥した後に、酸化カルシウム粉体と低沸点の溶媒（たとえばエタノール）と混合したペーストをシールの高さより高くなるように形成し、真空乾燥する。
【手続補正２１】
【補正対象書類名】明細書
【補正対象項目名】００７２
【補正方法】変更
【補正の内容】
【００７２】
次に、前面側ガラス基板２にＩＴＯを真空成膜・パターニングした透明電極と銀を主成分とするバス電極からなる表示電極７と、低融点ガラスペーストを印刷・焼成してなる誘電体層１２、及び酸化カルシウムの真空蒸着によりなる保護膜１３を形成する。
【手続補正書】
【提出日】平成25年9月25日(2013.9.25)
【手続補正１】
【補正対象書類名】特許請求の範囲
【補正対象項目名】全文
【補正方法】変更
【補正の内容】
【特許請求の範囲】
【請求項１】
保護膜が形成された前面板と、前記前面板と対向する背面板と、前記背面板と前記前面板を封着し気密するシール材とを有するプラズマディスプレイパネルを製造する際に、前記前面板と前記背面板との対向位置を決定するパネル位置決めステップと、前記シール材を加熱し前記前面板と前記背面板を封着する封着ステップと、前記封着ステップの後、前記前面板と前記背面板との間の不純物ガスを排気する排気ステップとを有するプラズマディスプレイパネルの製造方法であって、
前記プラズマディスプレイパネルの外周を加熱する第１のヒータと、前記プラズマディスプレイパネルの中央部を加熱する第２のヒータとを有する封着・排気装置を用いて、前記封着ステップと前記排気ステップとを行い、
前記封着ステップ時に、前記第１のヒータの温度を前記第２のヒータの温度より高温に設定し、前記排気ステップ時に、前記第２のヒータの温度を前記第１のヒータの温度より高温に設定することを特徴とするプラズマディスプレイパネルの製造方法。
【手続補正２】
【補正対象書類名】明細書
【補正対象項目名】発明の名称
【補正方法】変更
【補正の内容】
【発明の名称】プラズマディスプレイパネルの製造方法
【手続補正３】
【補正対象書類名】明細書
【補正対象項目名】０００１
【補正方法】変更
【補正の内容】
【０００１】
本発明は、表示装置に用いるプラズマディスプレイパネルの製造方法に関する。
【手続補正４】
【補正対象書類名】明細書
【補正対象項目名】００１５
【補正方法】変更
【補正の内容】
【００１５】
本発明のプラズマディスプレイパネルの製造方法は、保護膜が形成された前面板と、前記前面板と対向する背面板と、前記背面板と前記前面板を封着し気密するシール材とを有するプラズマディスプレイパネルを製造する際に、前記前面板と前記背面板との対向位置を決定するパネル位置決めステップと、前記シール材を加熱し前記前面板と前記背面板を封着する封着ステップと、前記封着ステップの後、前記前面板と前記背面板との間の不純物ガスを排気する排気ステップとを有するプラズマディスプレイパネルの製造方法であって、前記プラズマディスプレイパネルの外周を加熱する第１のヒータと、前記プラズマディスプレイパネルの中央部を加熱する第２のヒータとを有する封着・排気装置を用いて、前記封着ステップと前記排気ステップとを行い、前記封着ステップ時に、前記第１のヒータの温度を前記第２のヒータの温度より高温に設定し、前記排気ステップ時に、前記第２のヒータの温度を前記第１のヒータの温度より高温に設定することを特徴とする。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正書】
【提出日】平成25年7月25日(2013.7.25)
【手続補正１】
【補正対象書類名】特許請求の範囲
【補正対象項目名】全文
【補正方法】変更
【補正の内容】
【特許請求の範囲】
【請求項１】
第１導電形の第１半導体層と、
前記第１半導体層の主面に対し平行な方向において、第１導電形の第２半導体層と、第２導電形の第３半導体層と、がそれぞれ周期的に配列された周期的配列構造と、
前記第３半導体層の上に設けられた第２導電形の第４半導体層と、
前記第４半導体層の表面に選択的に設けられた第１導電形の第５半導体層と、
前記第４半導体層に絶縁膜を介して接する制御電極と、
前記第１半導体層に電気的に接続された第１主電極と、
前記第４半導体層と、前記第５半導体層と、に接続された第２主電極と、
を備え、
前記周期的配列構造の最外周の周期構造は、前記最外周以外の前記周期的配列構造の周期構造と異なることを特徴とする半導体素子。
【請求項２】
前記第１半導体層の主面に対して垂直な方向からみて、前記第１半導体層は、矩形状であり、
前記矩形の対向する一対の辺に対して平行な方向における前記周期的配列構造の最外周の前記周期構造と、前記辺に対して直交する方向における前記周期的配列構造の前記最外周の前記周期構造と、は、異なることを特徴とする請求項１記載の半導体素子。
【請求項３】
前記周期的配列構造の最外周における前記第２半導体層および前記第３半導体層のいずれか一方の周期は、前記最外周に沿った前記最外周以外の前記周期的配列構造における前記第２半導体層および前記第３半導体層のいずれか他方の周期の２倍であることを特徴とする請求項１または２に記載の半導体素子。
【請求項４】
前記周期的配列構造において、前記第２半導体層の不純物濃度と、前記第３半導体層の不純物濃度と、は、前記平行な方向および前記直交する方向において変化し、前記周期的配列構造の前記最外周の内側から前記周期的配列構造の前記最外周側に向かい、前記第２半導体層の不純物濃度と、前記第３半導体層の不純物濃度と、が段階的に低くなることを特徴とする請求項１〜３のいずれか１つに記載の半導体素子。
【請求項５】
第１導電形の第１半導体層と、
前記第１半導体層の主面に対し平行な方向において、第１導電形の第２半導体層と、第２導電形の第３半導体層と、がそれぞれ周期的に配列された周期的配列構造と、
前記第３半導体層の上に設けられた第２導電形の第４半導体層と、
前記第４半導体層の表面に選択的に設けられた第１導電形の第５半導体層と、
前記第４半導体層に絶縁膜を介して接する制御電極と、
前記第１半導体層に電気的に接続された第１主電極と、
前記第４半導体層と、前記第５半導体層と、に接続された第２主電極と、
を備え、
前記第３半導体層は、前記第２半導体層によって取り囲まれ、
前記周期的配列構造の最外周の周期構造は、前記最外周以外の前記周期的配列構造の周期構造と異なることを特徴とする半導体素子。
【請求項６】
前記第１半導体層の主面に対して垂直な方向からみて、前記第１半導体層は、矩形状であり、
前記矩形の互いに対向する辺に対して平行な方向において、前記第３半導体層の周期は、前記最外周以外の前記周期的配列構造における前記第３半導体層の周期と同じであり、
前記平行な方向に対して直交する方向において、前記第２半導体層の周期は、前記最外周以外の前記周期的配列構造における前記第３半導体層の周期と同じであることを特徴とする請求項５記載の半導体素子。
【手続補正２】
【補正対象書類名】明細書
【補正対象項目名】０００８
【補正方法】変更
【補正の内容】
【０００８】
実施形態の半導体素子は、第１導電形の第１半導体層と、前記第１半導体層の主面に対し平行な方向において、第１導電形の第２半導体層と、第２導電形の第３半導体層と、がそれぞれ周期的に配列された周期的配列構造と、前記第３半導体層の上に設けられた第２導電形の第４半導体層と、前記第４半導体層の表面に選択的に設けられた第１導電形の第５半導体層と、前記第４半導体層に絶縁膜を介して接する制御電極と、前記第１半導体層に電気的に接続された第１主電極と、前記第４半導体層と、前記第５半導体層と、に接続された第２主電極と、を備える。
【手続補正３】
【補正対象書類名】明細書
【補正対象項目名】０００９
【補正方法】変更
【補正の内容】
【０００９】
前記周期的配列構造の最外周の周期構造は、前記最外周以外の前記周期的配列構造の周期構造と異なる。